(57)【要約】【課題】  送信者が意図する通りの倍率で画像データを送信することができるファクシミリ装置を提供すること【解決手段】  本発明は、受信側のファクシミリ装置から該ファクシミリ装置の受信能力について通知を受けた後、該ファクシミリ装置に対して画像データを送信するファクシミリ装置を前提としている。そして、このようなファクシミリ装置において、受信側のファクシミリ装置が出力可能な原稿サイズに基づいて、送信対象である画像データの分割数を演算する演算手段と、この演算結果に基づいて、送信対象である画像データを分割する分割手段とを備えたことを特徴とする。また、上記演算手段が、受信側のファクシミリ装置が出力可能な原稿サイズに基づいて、送信対象である画像データの回転要否を判定すると、この判定結果に基づいて、送信対象である画像データを回転手段が９０度または２７０度回転させるようになっている。【選択図】  図１
2005217564.tif 000002
【特許請求の範囲】
【請求項１】
受信側のファクシミリ装置から該ファクシミリ装置の受信能力について通知を受けた後、該ファクシミリ装置に対して画像データを送信するファクシミリ装置において、
受信側のファクシミリ装置が出力可能な原稿サイズに基づいて、送信対象である画像データの分割数を演算する演算手段と、
上記演算結果に基づいて、送信対象である画像データを分割する分割手段と、
を備えたことを特徴とするファクシミリ装置。
【請求項２】
上記演算手段が、受信側のファクシミリ装置が出力可能な原稿サイズに基づいて、送信対象である画像データの回転要否を判定するとともに、
上記判定結果に基づいて、送信対象である画像データを９０度または２７０度回転させる回転手段を備えた請求項１に記載のファクシミリ装置。
【発明の詳細な説明】
【技術分野】
【０００１】
本発明は、ファクシミリ装置に関する。
【背景技術】
【０００２】
従来、文字が小さくて読みにくい原稿をファクシミリ送信する場合は、いったん原稿を拡大コピーして、その拡大コピー原稿をファクシミリ送信するのが一般的であった。しかしながら、このようにコピー処理を介在させると、手間がかかるだけでなく、ファクシミリ送信される原稿の画質が劣化するという問題があった。
【０００３】
そこで、ファクシミリ送信する原稿を読み取って画像データを得、この画像データをメモリ内で所望の倍率に拡大する機能を備えたファクシミリ装置が知られている（特許文献１参照）。このようなファクシミリ装置によれば、コピー処理を介在させる必要がないので、送信側では手間が省け、一方、受信側では画質の劣化していない拡大原稿を得ることができる。
【０００４】
この特許文献１には、メモリ内で拡大した画像データを複数頁に分割して送信する技術も開示されている。その詳細については記載されていないが、特許文献１の図４を参照する限り、もとの原稿サイズと一致するサイズとなるように画像データを分割しているようである。たとえば、Ｂ４サイズの原稿を２倍（面積比でいうと４倍）に拡大して送信したい場合、まずはメモリ内にＢ４サイズの画像データが生成されることになるので、この画像データをメモリ内で２倍に拡大する。そして、このように拡大された画像データをもとの原稿サイズであるＢ４サイズに４分割しているようである。
【０００５】
なお、原稿サイズの規格にはＡ判とＢ判があり、それぞれの縦横の長さ比は１対１．４１となっている。また、Ａ４やＢ５というように、ＡまたはＢの後に続く数字によって原稿の面積を表しており、この数字は、原稿の面積が１／２になる毎に１ずつ増えていく。  
【特許文献１】特開平5-130378号公報
【発明の開示】
【発明が解決しようとする課題】
【０００６】
ところで、一般的なファクシミリ装置は、Ｇ３（Group 3）と呼ばれるファクシミリの国際規格に準拠している。このＧ３では、送信側と受信側との間で呼を確立した後、受信側が自身の受信能力（最大原稿サイズや解像度など）を送信側に対して通知するようになっており、この通知を受けた送信側は、受信側の能力を超えない態様で、画像データを送信するようになっている。
【０００７】
したがって、従来は、送信者の意図にかかわらず、画像データが縮小されて送信されるという問題があった。たとえば、Ａ４サイズの原稿をＡ３サイズに拡大して送信したい場合であっても、受信側の最大原稿サイズがＢ４であるときは、図７に示すように、メモリ内でＡ４サイズの画像データＤ３１が拡大されてＡ３サイズの画像データＤ３２が生成されるものの、このＡ３サイズの画像データＤ３２はＢ４サイズの画像データＤ３３に縮小されて送信されることになる。
【０００８】
上記した特許文献１には、メモリ内で拡大した画像データを複数頁に分割して送信する技術が開示されているが、このファクシミリ装置によっても、送信者の意図にかかわらず、画像データが縮小されて送信されるという問題は解決できない。たとえば、Ｂ４サイズの原稿を２倍（面積比でいうと４倍）に拡大して送信したい場合は、図８に示すように、メモリ内でＢ４サイズの画像データＤ４１が拡大されてＢ４サイズ４頁分の画像データＤ４２が生成されることになる。しかしながら、この場合でも、受信側の最大原稿サイズがＡ４であるときは、このＢ４サイズ４頁分の画像データＤ４２はＡ４サイズ４頁分の画像データＤ４３に縮小されて送信されることになる。
【０００９】
本発明は、上記従来の事情に基づいて提案されたものであって、送信者が意図する通りの倍率で画像データを送信することができるファクシミリ装置を提供することを目的とする。
【課題を解決するための手段】
【００１０】
本発明は、上記目的を達成するために、以下の手段を採用している。
【００１１】
すなわち、本発明は、受信側のファクシミリ装置から該ファクシミリ装置の受信能力について通知を受けた後、該ファクシミリ装置に対して画像データを送信するファクシミリ装置を前提としている。そして、このようなファクシミリ装置において、受信側のファクシミリ装置が出力可能な原稿サイズに基づいて、送信対象である画像データの分割数を演算する演算手段と、この演算結果に基づいて、送信対象である画像データを分割する分割手段とを備えたことを特徴とする。
【００１２】
また、上記演算手段が、受信側のファクシミリ装置が出力可能な原稿サイズに基づいて、送信対象である画像データの回転要否を判定すると、この判定結果に基づいて、送信対象である画像データを回転手段が９０度または２７０度回転させるようになっている。
【発明の効果】
【００１３】
本発明では、送信者が意図する通りの倍率で画像データを送信することができるとともに、受信側のファクシミリ装置から出力される原稿の頁数を最小限に抑えることができる。
【発明を実施するための最良の形態】
【００１４】
以下、本発明の実施の形態を図面にしたがって詳細に説明する。
【００１５】
図１は、本発明を適用したファクシミリ装置の機能ブロック図である。このファクシミリ装置は、原稿を読み取って画像データを得るためのスキャナ１０と、回線５０を介して画像データを送受信するためのモデム２０と、画像データを一時的に記憶するためのメモリ３０と、画像データに対して所定の画像処理を施す画像処理部４０とを備えている。
【００１６】
上記画像処理部４０は、演算手段４１と分割手段４２と回転手段４３とを備えているが、これら手段の機能については後述する。その他、画像データを用紙に記録するためのプロッタや、画像データを符号化または復号する手段なども備えているが、これらの手段は本発明と直接関係しないので、ここでは図示していない。また、上記メモリ上の画像データを拡大する手段についても、公知技術であるため記載を省略する。
【００１７】
図２は、上記メモリ３０内で画像データに施す画像処理の概要を示している。ここでは、Ａ４サイズの原稿をＡ３サイズに拡大して送信したい場合に、受信側の最大原稿サイズがＢ４であるときを想定している。
【００１８】
まず、メモリ３０内でＡ４サイズの画像データＤ１１が拡大されてＡ３サイズの画像データＤ１２が生成されるまでは従来と同じである。ここで、画像処理部４０は、上記Ａ３サイズの画像データＤ１２を９０度反時計回りに回転させて２分割することで、Ｂ４サイズ２頁分の画像データＤ１３を得るようになっている。
【００１９】
もっとも、Ａ３サイズ1頁の面積よりもＢ４サイズ２頁の総面積のほうが大きいので、この場合は余白が生じることになる。そこで、この余白部分を明確にするために、上記Ｂ４サイズ２頁分の画像データＤ１３に対して境界線Ｍ１１―Ｍ１２及びＭ１２―Ｍ１３を付す画像処理を施しておくのが好ましい。なお、この図では、余白部分が一箇所にかたまるように画像処理を施した場合を例示しているが、余白をどのように生じさせるかという点は特に限定されるものではない。
【００２０】
このように生成されたＢ４サイズ２頁分の画像データＤ１３は、頁単位でみると受信側の最大原稿サイズ（Ｂ４）と一致するので、縮小されることなく1頁ずつモデム２０を介してファクシミリ送信される。これによって、受信側のファクシミリ装置からはＢ４サイズの原稿が２頁出力されることになるので、これら原稿に付された境界線Ｍ１１―Ｍ１２及びＭ１２―Ｍ１３に沿って余白部分を切り取って、このように切り取った後の原稿をつなぎ合わせることで、Ａ３サイズの原稿を得ることができる。
【００２１】
図３を用いて別の例を示す。ここでは、Ｂ４サイズの原稿を２倍（面積比でいうと４倍）に拡大して送信したい場合に、受信側の最大原稿サイズがＡ４であるときを想定している。このときも、メモリ３０内でＢ４サイズの画像データＤ２１が拡大されてＢ４サイズ４頁分の画像データＤ２２が生成されるまでは従来と同じである。ここで、画像処理部４０は、図３（Ａ）に示すように、上記Ｂ４サイズ４頁分の画像データＤ２２を９０度反時計回りに回転させて８分割することで、Ａ４サイズ８頁分の画像データＤ２３を得るようになっている。この場合も、境界線Ｍ２１―Ｍ２２及びＭ２２―Ｍ２３を付す画像処理を施しておく。
【００２２】
このように生成されたＡ４サイズ８頁分の画像データＤ２３は、頁単位でみると受信側の最大原稿サイズ（Ａ４）と一致するので、縮小されることなくモデム２０を介してファクシミリ送信される。これによって、受信側のファクシミリ装置からはＡ４サイズの原稿が８頁出力されることになるので、これら原稿に付された境界線Ｍ２１―Ｍ２２及びＭ２２―Ｍ２３に沿って余白部分を切り取って、このように切り取った後の原稿をつなぎ合わせることで、Ｂ４サイズの原稿が２倍に拡大された原稿を得ることができる。
【００２３】
ところで、図４に示すように、送信対象である画像データＤ（拡大後の画像データ）の短辺の長さをｘ、受信側の最大サイズ原稿Ｐの短辺の長さをｙとすると、図５（Ａ）に示すように、受信側の最大サイズ原稿Ｐの長辺の長さは１．４１ｙとあらわすことができる。また、受信側の最大サイズ原稿Ｐを２頁つなぎ合わせると、図５（Ｂ）に示すように、短辺１．４１ｙ長辺２ｙの原稿を得ることができる。さらに、受信側の最大サイズ原稿Ｐを４頁つなぎ合わせると、図５（Ｃ）に示すように、短辺２ｙ長辺２．８２ｙの原稿を得ることができる。加えて、受信側の最大サイズ原稿Ｐを８頁つなぎ合わせると、図５（Ｄ）に示すように、短辺２．８２ｙ長辺４ｙの原稿を得ることができる。
【００２４】
以下、上記した画像処理をさらに詳しく説明する。ここでは、送信対象である画像データ（拡大後の画像データ）の短辺の長さｘと、受信側の最大サイズ原稿の短辺の長さｙとが得られた後の動作を図６にしたがって説明する。
【００２５】
まず、画像処理部４０に含まれる演算手段４１は、変数ｎに０を代入した後（図６、ステップＳ１）、送信対象である画像データの短辺の長さｘが、受信側の最大サイズ原稿の短辺の長さｙ以下であるかどうかを判定する（図６、ステップＳ２）。そして、ｙ以下であると判定した場合は、送信対象である画像データの回転要否（変数ｎが奇数であるかどうか）を判定する（図６、ステップＳ２→Ｓ８）。
【００２６】
この場合、変数ｎは０であり奇数でないので、演算手段４１は、画像データを回転させないと判定することになり（図６、ステップＳ８：ＮＯ）、次いで、この画像データを２ｎ分割するように分割手段４２に指示を出す。ここでは、変数ｎは０であり、また２０は１であるため、分割処理（図６、ステップＳ１０）は行われない。
【００２７】
一方、画像データの短辺の長さｘが、受信側の最大サイズ原稿の短辺の長さｙ以下でないと判定した演算手段４１は、変数ｎに１を加えた後（図６、ステップＳ３）、送信対象である画像データの短辺の長さｘが、受信側の最大サイズ原稿を２頁つなぎ合わせたときの短辺の長さ１．４１ｙ以下であるかどうかを判定する（図６、ステップＳ４）。そして、１．４１ｙ以下であると判定した場合は、上記と同様、送信対象である画像データの回転要否（変数ｎが奇数であるかどうか）を判定する（図６、ステップＳ４→Ｓ８）。
【００２８】
この場合、変数ｎは１であり奇数であるので、演算手段４１は、画像データを回転させると判定することになり（図６、ステップＳ８：ＹＥＳ）、この判定結果を回転手段４３に渡す。これによって、回転手段４３は、送信対象である画像データを９０度反時計回りに回転させるようになっている（図６、ステップＳ９）。次いで、演算手段４１は、画像データを２ｎ分割するように分割手段４２に指示を出す。ここでは、変数ｎは１であり、また２１は２であるため、分割手段４２は、送信対象である画像データを２分割するようになっている（図６、ステップＳ１０）。
【００２９】
一方、送信対象である画像データの短辺の長さｘが、受信側の最大サイズ原稿を２頁つなぎ合わせたときの短辺の長さ１．４１ｙ以下でないと判定した演算手段４１は、変数ｎに１を加えた後（図６、ステップＳ５）、送信対象である画像データの短辺の長さｘが、受信側の最大サイズ原稿を４頁つなぎ合わせたときの短辺の長さ２．８２ｙ以下であるかどうかを判定する（図６、ステップＳ６）。そして、２．８２ｙ以下であると判定した場合は、上記と同様、送信対象である画像データの回転要否（変数ｎが奇数であるかどうか）を判定する（図６、ステップＳ６→Ｓ８）。
【００３０】
この場合、変数ｎは２であり奇数でないので、演算手段４１は、画像データを回転させないと判定することになり（図６、ステップＳ８：ＮＯ）、次いで、画像データを２ｎ分割するように分割手段４２に指示を出す。ここでは、変数ｎは２であり、また２２は４であるため、分割手段４２は、送信対象である画像データを４分割するようになっている（図６、ステップＳ１０）。
【００３１】
以降の処理（図６、ステップＳ７→・・・）は、上記と同様であるため説明を省略する。
【００３２】
以上のように、本発明では、送信対象である画像データを縮小しなくて済むように、受信側のファクシミリ装置が出力可能な最大原稿サイズに基づいて、送信対象である画像データの分割数を演算するようにしているので、送信者が意図する通りの倍率で画像データを送信することができる。また、受信側のファクシミリ装置が出力可能な最大原稿サイズに基づいて、送信対象である画像データの回転要否を判定するようにしているので、受信側のファクシミリ装置から出力される原稿の頁数を最小限に抑えることができる。
【００３３】
なお、上記の説明では、送信対象である画像データを９０度反時計回りに回転させるかどうかを常に判定することとしているが、画像データの回転処理は本発明の必須要件ではない。すなわち、図３（Ａ）では、Ａ４サイズ８頁分の画像データ２３を生成することとしているが、図３（Ｂ）に示すように、Ａ４サイズ９頁分の画像データ２３を生成するようにしてもかまわない。もっとも、この場合は、受信側のファクシミリ装置から出力される原稿の頁数が1頁増えることになるが、画像データの回転処理を省くことができる分、ファクシミリ送信に要する時間を短縮できる効果がある。
【００３４】
また、上記の説明では、受信側の最大サイズ原稿に出力することを前提としているが、本発明はこれに限定されるものではない。すなわち、現在の規格Ｇ３では、上記したように、受信側のファクシミリ装置が出力可能な最大原稿サイズを通知することとなっている。しかしながら、受信側のファクシミリ装置が出力可能な原稿サイズの全部を通知できる環境下では、このように通知された中から適当な原稿サイズを選択し、このサイズの原稿に出力されることを想定した画像処理をするようにしてもよい。
【００３５】
たとえば、Ａ４サイズの原稿を２倍（面積比でいうと４倍）に拡大して送信したい場合に、受信側で出力可能な原稿サイズがＢ４及びＡ４であるときは、Ｂ４サイズの原稿よりも小さいＡ４サイズの原稿に出力するようにしてもよい。この場合、Ｂ４サイズの原稿に出力してもＡ４サイズの原稿に出力しても、いずれも４枚に出力する点は同じであるが、Ｂ４サイズの原稿に出力したときは余白が生じるのに対して、Ａ４サイズの原稿に出力したときは余白が生じないというメリットがある。
【産業上の利用可能性】
【００３６】
本発明を適用したファクシミリ装置は、送信者が意図する通りの倍率で画像データを送信することができるので、このようなファクシミリ装置をディジタル複合機などに搭載するのも有用である。
【図面の簡単な説明】
【００３７】
【図１】本発明を適用したファクシミリ装置の要部の機能ブロック図
【図２】本発明における画像処理の概要を示す図
【図３】本発明における画像処理の概要を示す図
【図４】本発明における画像処理を説明するための図
【図５】本発明における画像処理を説明するための図
【図６】本発明における画像処理のフローチャート
【図７】従来における画像処理の概要を示す図
【図８】従来における画像処理の概要を示す図
【符号の説明】
【００３８】
１０  スキャナ
２０  モデム
３０  メモリ
４０  画像処理部
４１  演算手段
４２  分割手段
４３  回転手段
【図１】
2005217564.tif 000003
【図２】
2005217564.tif 000004
【図３】
2005217564.tif 000005
【図４】
2005217564.tif 000006
【図５】
2005217564.tif 000007
【図６】
2005217564.tif 000008
【図７】
2005217564.tif 000009
【図８】
2005217564.tif 000010